Podtech/llm-jp-corpus-v4-ja_patent huggingface dataset:
(57)【要約】【課題】音声パターンを発生させることで行動の合図とし、人間や動物の訓練に使用する電子ホイッスルにおいて、いわゆる、犬笛のように人間の非可聴域の音声成分が有効な場合には対応していなかった。また、単純に非可聴域の音を再現可能としても、使用者には非可聴域の音は認識できないという問題があった。【解決手段】人間の可聴域の音を発生する可聴域音波発生手段と非可聴域の音を発生する非可聴域音波発生手段を設け、さらにこれら二つの音波を同期させて出力する手段を設けた。【選択図】  図２
2004252132.tif 000002
【特許請求の範囲】
【請求項１】
人間の非可聴域音波発生システムにおいて、これに同期した可聴域音波発生手段を設けたことを特徴とする音波発生システム。
【請求項２】
人間の可聴域音波発生システムにおいて、これに同期した非可聴域音波発生手段を設けたことを特徴とする音波発生システム。
【請求項３】
人間の非可聴域音波発生システムにおいて、これに同期した複数の可聴域音波発生手段と、該可聴域音波発生手段の出力を任意に選択する出力選択手段を設けたことを特徴とする音波発生システム。
【請求項４】
人間の可聴域音波発生システムにおいて、これに同期した複数の非可聴域音波発生手段と、該非可聴域音波発生手段の出力を任意に選択する出力選択手段を設けたことを特徴とする音波発生システム。
【請求項５】
請求項１記載の音波発生システムにおいて、これを内蔵することを特徴とする動物用訓練システム。
【請求項６】
請求項３記載の音波発生システムにおいて、これを内蔵することを特徴とする動物用訓練システム。
【発明の詳細な説明】
【０００１】
【発明が属する技術分野】
本発明は、電気的に音波を発生する音波発生システムに係り、特に、人間の可聴域の音と非可聴域の音を同期させて発生する音波発生システムとに関する。
【０００２】
【従来の技術】
ホイッスルを吹いて、音声パターンを発生させることで行動の合図とし、人間や動物の訓練を行うことは、従来より行われてきている有効な方法である。しかし、この方法にはホイッスルの使用者に、正確なパターンを再現させる訓練が必要な場合があり、ホイッスルの使用者が制限されるという問題点があった。
【０００３】この点を改善し、訓練なしで固定の音声パターンを再現させることを可能にしたのが、公知例として図１に示す電子ホイッスルであった。
【０００４】
【発明が解決しようとする課題】
しかしながら、上記従来例は、いわゆる、犬笛のように人間の非可聴域の音声成分が有効な場合には対応していなかった。また、単純に非可聴域の音を再現可能としても、使用者には非可聴域の音は認識できないという問題が残る。
【０００５】
【課題を解決するための手段】
上記問題点を解消するため、人間の可聴域の音を発生する可聴域音波発生手段と非可聴域の音を発生する非可聴域音波発生手段を設け、さらにこれら二つの音波を同期させて出力する手段を設けた。
【０００６】これにより、使用者には認識できない非可聴域の音を扱う場合でも、使用者には、代替として可聴域の音が聞こえる為、違和感なく操作可能となる。
【０００７】
【発明の実施の形態】
最初に、図１を用いて従来例の動作を説明する。
図１は従来例のブロック図である。同図において、１は信号発生スイッチ、２は可聴音波発生部、３は可聴音波出力部である。
【０００８】使用者の操作により、信号発生スイッチ１で、音波の発生を指示されると、可聴音波発生部２で音波波形が生成され、可聴音波出力部３で発音される。
【０００９】次に図２を用いて第一の実施例の動作を説明する。
従来装置では、発生される音波は可聴域音（２０〜２万ヘルツ）であるが、本実施例は、これより高い音で人に対しては聞こえない非可聴領域の音波である超音波も出力対象としている。いわゆる、犬笛は、この超音波を出力している。
【００１０】図２は非可聴領域を出力対象とした実施例のブロック図である。同図において、図１と同機能を有するブロックには、同じ番号を付する。同図において、４は信号制御部、５は非可聴音波発生部、６は非可聴音波出力部である。
【００１１】使用者の操作により、信号発生スイッチ１で、音波の発生を指示されると、信号制御部４を介し、可聴音波発生部２と非可聴音波発生部５に音波波形の生成発生が指示される。
【００１２】これにより、可聴音波発生部２で音波波形が生成され、可聴音波出力部３で発音される。さらに、非可聴音波発生部５で音波波形が生成され、非可聴音波出力部６で発音される。
【００１３】
【発明の効果】
本発明により、使用者には認識できない非可聴域の音を用いた音声パターンを発生することが可能となり、かつ、使用者に認識できる可聴域の音が聞こえる為、操作の違和感が緩和される効果がある。
【００１４】
【図面の簡単な説明】
【図１】従来例を示すブロック図。
【図２】実施例を示すブロック図。
【符号の説明】
１…信号発生スイッチ
２…可聴音波発生部
３…可聴音波出力部
４…信号制御部
５…非可聴音波発生部
６…非可聴音波出力部
【図１】
2004252132.tif 000003
【図２】
2004252132.tif 000004
(57)【要約】【課題】光学特性を悪化させることのない光学要素の接着剤による取付方法と支持体の構造を提供する。【解決手段】ミラーホルダ１０の光学要素取付部１０ａに光軸０に向かって３個の支持爪１０ｂ，１０ｂ，１０ｂを突出させる。この支持爪１０ｂ，１０ｂ，１０ｂにミラー１３の片側周縁部を当接した後、前記支持爪１０ｂ，１０ｂ，１０ｂを設けていない部分＊の光学要素取付部１０の内面とミラー１３の外周面間に接着剤１４を入れてミラー１３をミラーホルダ１０ａに固定させる。【選択図】  図４
2004252165.tif 000002
【特許請求の範囲】
【請求項１】
支持体の光学要素取付部に光軸に向って適数の支持爪を突出させ、この支持爪に光学要素の片側周縁部を当接した後、前記支持爪を設けていない部分の光学要素取付部の内面と光学要素外周面間に接着剤を入れて光学要素を支持体に固定させることを特徴とする光学要素の取付方法。
【請求項２】
光学要素取付部に光軸に向って適数の支持爪を設けたことを特徴とする光学要素支持体。
【発明の詳細な説明】
【０００１】
【発明の属する技術分野】
本発明はレンズ、ミラー、フィルター等の光学要素を支持体に接着剤で固定する場合の取付方法と支持体の構造に関するものである。
【０００２】
【従来の技術】
レンズ、ミラー、フィルター等の光学要素を支持体に取付ける場合、従来は支持体に光学要素の片側周縁を受ける段部を設け、反対側をネジリングやＣリングあるいはカシメによって固定するようにしている。
【０００３】
最近、接着剤の進歩により、光学要素を接着剤で固定する方法が採られるようになり、プラスチックレンズを用いたレンズ付きカメラでは接着剤で固定する方法が殆どである。
【０００４】
ところが、接着剤で固定する方法を採った場合、屡々光学特性を悪化させるという問題が生じている。
【０００５】
例えば、図１は露光装置に用いられているミラーホルダ１を示すもので、ミラー受部にミラー受段部２を設け、図２の（ａ）に示すようにこのミラー受段部２にミラー３を挿入した後、接着剤４を注射器などでミラー受部内面とミラー３間に注入し、固定するようにしている。
【０００６】
ところが、ミラー３の重さと、毛細管現象により図２の（ｂ）のように、接着剤４が所謂尻に廻り、ミラー３の取付の平面度を下げて光学特性を悪化させたことがあった。
【０００７】
【特許文献１】
特公昭３３−２９２５号公報（第１７図及び第１８図）
【０００８】
【発明が解決しようとする課題】
そこで本発明は、光学特性を悪化させることのない光学要素の接着剤による取付方法と支持体の構造を提案しようとするものである。
【０００９】
【課題を解決するための手段】
本発明は上記の課題を解決するためになされたもので、第１の発明は、支持体の光学要素取付部に光軸に向って適数の支持爪を突出させ、この支持爪に光学要素の片側周縁部を当接した後、前記支持爪を設けていない部分の光学要素取付部の内面と光学要素外周面間に接着剤を入れて光学要素を支持体に固定させることを特徴とする光学要素の取付方法である。
【００１０】
第２の発明は、光学要素取付部に光軸に向って適数の支持爪を設けたことを特徴とする光学要素支持体である。
【００１１】
【発明の実施の形態】
図３及び図４は本発明を露光装置のミラー取付に適用した場合の実施例を示すもので、図３はミラーホルダの正面図と縦断面図、図４はミラーを取付けた状態のミラーホルダの正面図と縦断面図である。
【００１２】
図３及び図４において、１０はミラーホルダで、光学要素取付部１０ａに光軸０に向かって３個の支持爪１０ｂ，１０ｂ，１０ｂが設けられている。
【００１３】
ミラー１３の取付けは、従来と同様、光学要素取付部１０ａに挿入し、片側周縁部を前記支持爪１０ｂ，１０ｂ，１０ｂに当接した後、支持爪を設けていない部分＊の光学要素取付部１０ａの内面と、光学要素であるミラー１３の外周面間に接着剤１４を注射器などで入れてミラー１３をミラーホルダ１０に固定させる。
【００１４】
この取付方法によると、接着剤１４は支持爪１０ｂ，１０ｂ，１０ｂとミラー１３間には侵入しないので、従来のように取付の平面度を下げて光学特性を悪化させることがない。
【００１５】
【発明の効果】
本発明によれば、光学特性を悪化させることのない光学要素の接着剤による取付方法として勝れており、接着剤による光学要素の取付を促進し、惹いては光学機器の生産性向上に貢献するところ極めて大である。
【図面の簡単な説明】
【図１】従来のミラーホルダの正面図と縦断面図。
【図２】従来のミラーホルダにミラーを接着剤で接着した時の問題を説明するための縦断面図。
【図３】本発明を適用したミラーホルダの正面図と縦断面図。
【図４】図３のミラーホルダにミラーを接着剤で取付けた状態の正面図と縦断面図。
【符号の説明】
１０      ミラーホルダ
１０ａ    光学要素取付部
１０ｂ    支持爪
２        ミラー受段部
３，１３  ミラー
４，１４  接着剤
【図１】
2004252165.tif 000003
【図２】
2004252165.tif 000004
【図３】
2004252165.tif 000005
【図４】
2004252165.tif 000006
(57)【要約】      （修正有）【課題】紫外線による殺菌と、消臭剤を塗布した面に紫外線を照射して消臭を同時に行う場合、紫外線照射面積と、空気接触面積を広げ効果を高めること。【解決手段】紫外線照射殺菌室６内に縦型，横型或いは斜面による隔壁７を設置して空気との接触面積を広げ、この壁面に光触媒消臭剤１１を塗布し、これに紫外線を照射することによって空気の流れ１２を多様化し、紫外線照射面積と、空気接触面積を広げて効果を高めることができる。【選択図】図４
2004313705.tif 000002
【特許請求の範囲】
【請求項１】
横型隔壁を設置して空気との接触面積を広げ、この壁面に光触媒消臭剤を塗布し、これに紫外線を照射することによって光触媒消臭剤を活性化し、紫外線による殺菌と消臭の効果を得る装置。
【請求項２】
縦型隔壁を設置して空気との接触面積を広げ、この壁面に光触媒消臭剤を塗布し、これに紫外線を照射することによって光触媒消臭剤を活性化し、紫外線による殺菌と消臭の効果を得る装置。
［請求項１］斜面隔壁を設置して空気との接触面積を広げ、この壁面に光触媒消臭剤を塗布し、これに紫外線を照射することによって光触媒消臭剤を活性化し、紫外線による殺菌と消臭の効果を得る装置。
【発明の詳細な説明】
【０００１】
【発明の属する技術分野】
本発明は、紫外線による殺菌と、光触媒消臭剤による消臭の作用を、同じ空間で行う空気清浄化装置の構造に関するものである。
【０００２】
【従来の技術】
従来の技術は、空気を紫外線によって殺菌し、これをフィルターで濾過排出する程度で空気清浄化装置として市販していた。
【０００３】
【発明が解決しようとする課題】
本考案において解決すべき課題は、紫外線による殺菌と、消臭剤を塗布した面に紫外線を照射して消臭を同時に行う場合、紫外線照射面積と、空気接触面積を広げることが課題となる。
【０００４】
【課題を解決するための手段】
この技術に関する本考案の要点は、室内に縦型，横型或いは斜面による隔壁を設置して空気との接触面積を広げ、この壁面及び室の内壁に光触媒消臭剤を塗布し、これに紫外線を照射することによって解決する。
【０００５】
【実施の形態】
紫外線照射室に空気との接触面積を広げるための隔壁を設置し、空気の動きを多様化し、且つ紫外線が隔壁に塗布された光触媒消臭剤も照射して消臭剤の活性化を促進させるものである。
【０００６】
【実施例】
図１は、外観図、図２は、隔壁（７）を横においた場合の断面図である。
空気は矢印（１２）の如く（１）のフアン室（２）の空気取り入れ口から（３）のモーターで駆動されるファン（４）で吸引され、（５）のフィルターで濾過されて、紫外線照射室（６）へ送られる。空気は隔壁（７）によって流れが定められ、左右に移動しながら排出部（８）まで隔壁に沿って流されてゆく。
この方法は、角型の筐体に適する形である。（９）は紫外線放射管、（１１）は光触媒消臭剤層である。
【０００７】
図３は、隔壁（７）を横においた場合の断面図であるが、空気の流れは外側から内側へ、次にまた外側へという形で移動する。円形の筐体に適する形である。空気は、通過中に紫外線による殺菌と、光触媒消臭剤による消臭作用を受ける。
【０００８】
図４は、隔壁（７）を縦においた場合の側面の断面図，図５は，そのＡ−Ａ断面図であるが、空気は垂直に壁に沿いながら降下する。この隔壁には光触媒消臭剤が塗布されている、空気は降下の間に紫外線照射と光触媒消臭剤による殺菌作用と消臭作用を受ける。紫外線は、（１０）の如く外壁によって反射し、隔壁の光触媒消臭剤層（１１）を活性化する。
【０００９】
図６は、隔壁（７）を斜めにおいた場合の断面図である。図２の隔壁（７）が斜めに取り付けられた形のものである。
【発明の効果】
紫外線照射により光触媒消臭剤が活性化されるが、その面積が大きいほど消臭作用が強化される。隔壁（７）の効果により、光触媒消臭剤の空気接触面積と受照射面積が広がり消臭効果を高めることができる。これらの効果によりこの装置は、紫外線照射による殺菌と光触媒消臭剤による消臭の２つの効果的浄化作用を持つことができる。
【図面の簡単な説明】
【図１】外観図
【図２】隔壁（７）を横においた場合の断面図。
【図３】隔壁（７）を横においた場合の断面図である。空気の流れは外側から内側へ、次にまた外側へという形で移動する。
【図４】隔壁（７）を縦においた場合の断面図。
【図５】図４のＡ−Ａ断面図。
【図６】隔壁（７）を斜めにおいた場合の断面図。
【符号の説明】
（１）  フアン室
（２）  空気取り入れ口
（３）  モーター
（４）  ファン
（５）  フィルター
（６）  紫外線照射室
（７）  隔壁
（８）  排出部
（９）  紫外線放射管
（１０）  紫外線の反射光
（１１）  光触媒消臭剤層
（１２）  空気の流れ
【図１】
2004313705.tif 000003
【図２】
2004313705.tif 000004
【図３】
2004313705.tif 000005
【図４】
2004313705.tif 000006
【図５】
2004313705.tif 000007
【図６】
2004313705.tif 000008
(57)【要約】【課題】容器本体を壁面と天井面の両方に磁石又は両面接着テープで取り付けられるようにする。キッチンペーパーを挿入して、次の端を引き出し易いようにし、使い切るまで一定の力でミシン目からスムーズに切断出来るようにする。【解決手段】容器本体６の背面又は上面に取り付ける磁石８を着脱式にする。キッチンペーパー７の端を１０ｃｍ前後引き出して容器本体６に挿入し、次にローラーストップ梁５を装着する。キッチンペーパー７を手前に引き出し、ミシン目を円弧状山形切断刃２の突端に合わせ、そのまま下に引くと、作用点の８角形ローラー４とローラーストップ梁５に把持され、ミシン目から切断される。【選択図】    図１
2004313709.tif 000002
【特許請求の範囲】
【請求項１】
キッチンペーパー７を収納する為の１側面に開口部のある容器本体６と、該開口部に設けた梃子の働きを応用した梃子板１とその回動を止めるローラーストップ梁５とから構成され、該梃子板１は、その左右両端から外方に突出した支点軸３により該開口部の左右両側面板の穴に枢着され回動可能であり、該梃子板１の作用点のところに該キッチンペーパー７の把持装置を設け、力点のところに円弧状山形切断刃２を設けたのを特徴とするキッチンペーパー供給容器。
【請求項２】
前記把持装置は、前記梃子板１の左右両上端に対峙して形成される突出部の穴に枢着された回転自在の８角形ローラー４と、ローラーストップ梁５とから構成され、該ローラーストップ梁５は前記開口部の左右両側面板の曲尺状溝穴に装着され、該梃子板１の回動と該８角形ローラー４の回転を止めると同時に、該８角形ローラー４の外周を回って引き出される前記キッチンペーパー７を把持する位置に設けられているのを特徴とする請求項１記載のキッチンペーパー供給容器。
【請求項３】
前記８角形ローラー４は、キッチンペーパー７を把持する位置と引き出し位置の間で回動可能であり、該キッチンペーパー７をローラーストップ梁５との間に把持して回動が止まると同時に回転を止める為にローラーの断面形状を正８角形とするのを特徴とする請求項１または２記載のキッチンペーパー供給容器。
【請求項４】
前記力点のところの切断刃は、前記梃子板１の作用点を中心とする円弧状で且つその長手方向中央が高くなった円弧状山形切断刃１で形成されている請求項１記載のキッチンペーパー供給容器。
【発明の詳細な説明】
【０００１】
【発明の属する技術分野】
本発明は、キッチンペーパーを片手で容器に挿入し、片手でミシン目からスムーズに切断する供給容器に関する。
【０００２】
【従来の技術】
従来のキッチンペーパーホルダーは、構造上、吊戸棚の下面に取り付けて使用するようには作られてなく、キッチンペーパーを装着するとき両手でしなければならず、ミシン目のカットする位置と力が一定でなく、キッチンペーパーの端が巻き付いていて引き出しにくい等の問題があった。
【０００３】
【発明が解決しようとする課題】
容器本体の取り付けは壁面と天井面の両用とし、片手でキッチンペーパーを挿入して端を引き出し、ミシン目から切断して次の端を引き出し易いようにし、使い切るまで一定の位置と同じ力で切断することを目的としている。
【０００４】
【課題を解決するための手段】
上記目的を達成するために、本発明ではキッチンペーパーを収納するための１側面に開口部のある容器本体と該開口部に梃子の働きを応用した梃子板に該キッチンペーパーの把持装置および切断刃を設けたものから構成され、該梃子板の作用点にキッチンペーパーの把持装置を設け、力点のところに切断刃を設けたものである。該梃子板は、該梃子板の左右両端から外方に突出した支点軸により、該開口部の左右両側面板の穴に枢着され、回動可能になっている。
【０００５】
【発明の実施の形態】
以下、添付図面に示した実施例にもとずいて本発明を説明する。図１はキッチンペーパー供給容器の断面図であり、図２はキッチンペーパー供給容器の斜視図である。
【０００６】
図１に示すように本発明のキッチンペーパー供給容器は、キッチンペーパー７を収納するための１側面に開口部のある容器本体６と、該開口部に設けた挺子の働きを応用した梃子板１およびその回動を止めるローラーストップ梁５とから構成され、該梃子板１はその左右両端から外方に突出した支点軸３により該開口部の左右両側面板の穴に枢着され回動可能とされる。該梃子板１の作用点のところに８角形ローラー４を設け、力点のところに円弧状山形切断刃２が設けられている。該８角形ローラー４は該梃子板１の左右両上端から上方に対峙する突出部の穴に枢着され、回転自在とされる。キッチンペーパー把持装置は該８角形ローラー４と該容器本体６の左右両側面板の曲尺状溝穴に装着されるローラーストップ梁５とから構成され、該ローラーストップ梁５は該８角形ローラー４の回動と回転を止めると同時に該８角形ローラー４の外周を回って引き出される該キッチンペーパー７を把持する。
【０００７】
図２はキッチンペーパー供給容器の斜視図で、キッチンペーパーを収納するための１側面に開口部のある容器本体６と、該開口部に設けた梃子の働きを応用した梃子板１およびその回動を止めるローラーストップ梁５とから構成され、該容器本体６は厚さ５ｍｍの合板を加工して形成される。該梃子板１は，厚さ２ｍｍの合成樹脂を成形加工して形成され、その左右両端から外方に突出した支点軸３により該開口部の左右両側面板の穴に枢着され、回動可能とされる。該ローラーストップ梁５は該容器本体６の左右両側面板の曲尺状溝穴に装着される。該梃子板１は、力点のところに円弧状山形切断刃２を設け、作用点のところに８角形ローラー４を設けている。該円弧状山形切断刃２の刃先は厚さ２ｍｍにして、使用者に対する安全性を確保している。該８角形ローラー４は該梃子板１の左右両上端に対峙する突出部の穴に枢着され、回転自在とされる。キッチンペーパー把持装置は該８角形ローラー４と該ローラーストップ梁５とから構成される。
【０００８】
本発明のキッチンペーパー供給容器を使用する際、先ず最初にローラーストップ梁５を取り外し、キッチンペーパー７の端を予め１０ｃｍ位引き出して容器本体６に挿入する。このとき該容器本体５の左側面から見て反時計回りに回転するように据える。それから該ローラーストップ梁５を曲尺状溝穴に装着する。容器本体６の正面から該キッチンペーパー７の端を摘んで手前斜め下方に引き出すと共に作用点の８角形ローラー４が回転し、該キッチンペーパー７のミシン目が力点の円弧状山形切断刃２の突端に重なるまで引き出し、そのまま下に引くと支点軸３を中心に梃子板１と一体となって待機位置から回動し、該キッチンペーパー７は、該８角形ローラー４と該ローラーストップ梁５に把持されてミシン目から切断され、次回の端が該梃子板１上に引き出されて元の待機位置に戻る。
【０００９】
【発明の効果】
キッチンペーパーを片手で挿入できて次の端が円弧状山形切断刃の近くに出ているので引き出し易く、使い切るまで一定の位置と力で切断できる。
【図面の簡単な説明】
【図１】キッチンペーパー供給容器の断面図である。
【図２】キッチンペーパー供給容器の斜視図である。
【符号の説明】
１  梃子板
２  円弧状山形切断刃
３  支点軸
４  ８角形ローラー
５  ローラーストップ梁
６  容器本体
７  キッチンペーパー
８  磁石
【図１】
2004313709.tif 000003
【図２】
2004313709.tif 000004
(57)【要約】【目的】この発明は下肢骨折手術後に使用して骨形成を早めたり、高齢者や身体障害者が起立する事によって健康増進を助ける作業台付き起立保持具である。【構成】水平台枠（１）に直立杆（２）を立設し、その直立杆（２）に上下調節可能な膝位置固定部（３）、臀部固定ベルト（５）と背中固定ベルト（６）、作業台（７）を取り付けた起立保持具である。【選択図】図１
2004313703.tif 000002
【特許請求の範囲】
【請求項１】
水平台枠（１）に直立杆（２）を立設し、その直立杆（２）に上下調節可能な膝位置固定部（３）、臀部固定ベルト（５）、背中固定ベルト（６）、作業台（７）を通し、水平台枠（１）に（４）かかとカップを取りつけた起立保持具。
【発明の詳細な説明】
【０００１】
【産業上の利用分野】
本発明は、医療及び健康産業に用いられる起立保持具で、特に足の骨折手術後に起立する事によって荷重をかけ骨形成を早めたり、自力で起立する事が困難な高齢者や身体障害者の起立姿勢を保持しながら作業できる起立保持具である。
【０００２】
【従来の技術】
昨今では健常者でも起立し、歩行する事によって骨租創症の予防になる事は周知の事実であるが、生活スタイルの中に手軽に取入れる事ができて、リハビリ効果も得られる起立保持具がなかった。
従来の起立保持具は動力を使用したベッド型の物が多く、構造的に複雑であるとともに高価で場所も取り、重量的にも移動させにくいものであった。
そのために、起立保持が毎日の健康増進、リハビリに必要であるにもかかわらず一般家庭に具える事は困難であった。
【０００３】
従来はベッドの大きさが決まっている為、万人のサイズに合わせにくく、しかも、仰臥状態のままベッドの動力で傾斜及び起立状態にする他力型の為、使用者が単調な時間をすごす苦痛が伴い、リハビリに対する意欲を減退させるものであった。そして起立状態の９０度近くになるほど前のめりになる可能性が高く、特に足腰の弱い使用者は不安を感じ、傾斜位置の角度をつい弱くして寝たきり状態から離れられないという悪循環を伴った。
【０００４】
【発明が解決しようとする課題】
高齢者、障害者、骨折手術後のリハビリを必要としている人が自主的に日々、頻繁に使用する気になる起立保持具を提供する。
軽量化に伴う移動、収納、設置の簡略化において製造コストを安価にする。
【０００５】
【課題を解決する為の手段】
本発明は、簡単な構造の直立型で軽量かつ、場所も取らず、作業台（７）を付けることにより、上半身を預ける事ができ、使用者の安心感を向上させた。
さらに上下調節可能な膝位置固定部（３）を作り起立位置を決める事で、体幹の不安定な使用者の安定感を増した。
そして、作業台上で作業、飲食等ができることにより、起立したまま有意義な時間を過ごせるのでリハビリ意欲を高めることになった。
その結果、使用頻度が高くなり、長時間の起立保持も可能になる。
膝位置固定部（３）、臀部固定ベルト（５）と背中固定ベルト（６）、作業台（７）などのサイズ調節により、小児から大人まで幅広く使用可能にした。
【０００６】
【発明の実施の形態】
以下、本発明の実施の形態を説明する。
水平台枠（１）に直立杆（２）を立設する。直立杆（２）に膝当て部（９）のついた膝固定部（３）、臀部固定ベルト（５）、背中固定ベルト（６）、作業台（７）の４点を通して、上下調節し、ストッパーで止める。水平台枠（１）に（４）かかとカップを取りつける。
本発明の実施例を図面２と図面３により具体的に説明する。
まず使用者の足を（４）のかかと固定カップ内に入れ、足裏を（１）の水平台につける。（３）の膝位置固定部を（９）膝当て部にあわせて調節し（８）の左右ストッパーのねじをしめる。（２）の左右直立杆を持っておしりを持ち上げて起立する。（５）の左臀部固定ベルトを右のベルト通しに入れ、折り返して、マジックテープ部分を止める。（６）の背中固定ベルトも（５）臀部固定ベルト同様に止める。なお（５）臀部固定ベルトだけの使用で充分な安定が得られる時は背中固定ベルトを使用しなくても図１のようにマジックテープ部分で折り返しておくとじゃまにならない。使用者が起立してから作業台の高さを調節して８の左右ストッパーのねじと（２）直立杆にある（８）前ストッパーのねじをしめる。
【０００７】
【発明の効果】
本発明は動力を用いないために、使用者の腕力などが一部必要となり、リハビリ効果と共に気力や筋力の衰えを防ぐ。また、構造が簡単であるために製造コストを従来の動力を使用した起立保持具に比べて安価で製造する事ができ、一般家庭での使用が容易になる。作業台上での作業効果が脳の衰えを防ぎ、精神的にも効果がある。体前面に作業台と膝当て部のある膝位置固定部を、体後方には臀部固定ベルトと背中固定ベルトを、足元にはかかと固定カップを設けることにより心身共に不安定な使用者が安心して使えるものになった。運動にだけ時間をとれない健常者も作業を併用しながら起立し、足ふみ等を加えて健康増進、骨粗相症の予防に気軽に利用できる。
【図面の簡単な説明】
【図１】本発明の斜視図である。
【図２】車椅子から本発明にうつる時の側面図である。
【図３】起立状態にある時の側面図である。
【符号の説明】
１  水平台枠
２  直立杆
３  膝位置固定部
４  かかと固定カップ
５  臀部固定ベルト
６  背中固定ベルト
７  作業台
８  ストッパー
９  膝当て部
なお２の直立杆の数は図面では３本だが安定性を得られるのなら３本以下でも３本以上でもかまわない。
【図１】
2004313703.tif 000003
【図２】
2004313703.tif 000004
【図３】
2004313703.tif 000005
(57)【要約】【課題】従来の空気清浄装置は、オゾン或いは紫外線によって殺菌し、濾過後にそのまま放出していた。この空気を装置の外側に塗布した光触媒消臭層と接触させ、脱臭効果を図り、空気清浄化効果を高める装置の開発。【解決手段】装置の上部から空気を取り入れ、オゾン室又は紫外線室で殺菌する。又はオゾン、紫外線併用でもよい。その後この空気を濾過し装置の内側、外側に塗布した光触媒消臭層と接触させる。この外壁消臭層は当る光が或る光度以上になると臭気を分解する。これらの組み合わせによって浄化効果を高めることができる。【選択図】図３
2004313706.tif 000002
【特許請求の範囲】
【請求項１】
空気をオゾン殺菌室、又は、紫外線照射室に導いて殺菌を行う、更に光触媒消臭剤を塗布した壁に沿って空気を流し消臭する、この組み合わせによって空気清浄化を行う装置。
【発明の詳細な説明】
【０００１】
【発明の属する技術分野】
空気をオゾン又は紫外線によって殺菌し、殺菌後の空気を光触媒消臭剤を塗布した壁に沿って流して消臭し、空気清浄化を行う装置。
【０００２】
【従来の技術】
従来の空気清浄装置は、オゾン或いは紫外線に又はその併用によって殺菌しその後濾過して、その空気をそのまま放出するものが主体であった。
【０００３】
【発明が解決しようとする課題】
従来の空気清浄装置は、オゾン或いは紫外線によって殺菌し、濾過後にそのまま放出していた。この空気を装置の外側に塗布した光触媒消臭層と接触させ、消臭効果を図り空気清浄化の効果を高める装置の開発。
【０００４】
【課題を解決する手段】
装置の上部から空気を取り入れ、オゾン室又は紫外線室で殺菌する。又はオゾン、紫外線併用でもよい。その後この空気を濾過し装置の内側壁、外壁に塗布した光触媒消臭層と接触させる。この外壁は光が或る光度以上になると臭気を分解する。これによって浄化効果を高めることができる。
【０００５】
【実施の形態】
図１、図２及び図３に、本発明の例による平面図、側面図、断面図を示す。
（１）は、空気取り入れ口（２）を持ったフアン室、（３）は、（１０）のオゾン発生装置をもったオゾン殺菌室、（４）は、紫外線発生装置（１２）をもった紫外線照射殺菌室、（５）は、内壁に光触媒消臭塗料を塗布した内壁を持った消臭室，（６）は，外側に空気の流れ方向を上向きに変える外筒を持ったベース部となっている。
【０００６】
【実施例】
空気は、（１）の空気取り入れ口（２）から（７）のモーターで駆動されるフアン（８）によって吸引され、フィルター（９）を通過しここでダストを除去する。ここを通過した空気は、オゾン殺菌室（３）へ流入する。ここでオゾン発生装置（１０）によって発生したオゾンと接触させる。オゾンは、０，００５ｐｐｍ以上の雰囲気の中では人体に有害と言われるが、この殺菌室では０．００１ｐｐｍを上限とした処理を行う。これによって第１段階の殺菌を行う。次に、消臭効果のあるフィルター（１１）を通して凝集したダストと臭気を除去する。
【０００７】
次に紫外線照射室（４）で紫外線による殺菌を行う。紫外線発生器（１２）の２５０ｎｍ近辺の短波によって１５０ｍｍの距離で２．９ｍＷ程度の照射することにより、バクテリア、胞子、ヴィールス、酵母、ニコチン等を分解させる。
【０００８】
次に、光触媒脱臭効果を持った塗布剤を内壁に塗布した消臭室（５）へ導入する。ここでは、塗布してある光触媒分解作用によってアンモニア、メルカプタン、フォルムアルデヒド等を分解させる、光源としては触媒作用に必要な光度のランプ（１３）をおく。ここで臭気を除去し（１６）の空気排出スリットから（６）のベース部外壁（１７）に向けて排出する。光触媒脱臭効果を持った塗布剤は紫外線によっても臭気分解の効果がある。紫外線による殺菌室の内筒にこの塗料を塗布し殺菌と消臭とを同室で行うことも可能となる。
【０００９】
ベース部外壁（１７）は、断面図でベース部（６）の外壁となっているが、（１６）の空気排出スリットから排出された空気（１５）は、この外壁（１７）によって風向きを上方向に変えられ、装置全体の外壁に沿って上昇する。この装置全体の外壁は、光触媒消臭塗料（１４）を塗布してある。これによって空気は光触媒の効果で脱臭される。
【００１０】
（１４）の光触媒消臭塗料（１４）は、装置のファンが作動していない時でも、必要な光度の光が照射されていれば、消臭効果を発揮し、浄化作用を行うことができる。
【００１１】
【発明の効果】
本装置は、オゾン或いは紫外線による殺菌と、光触媒効果による消臭によって浄化の効果を得ることができる。
病院の病室、処置室、における院内感染の防止、或いは一般家庭の居室、老人の居室等で感染防止、花粉症対策等で空気を浄化する必要がある場合に空気中のバクテリア除去、微細粒子の除去、臭気の除去の効果を持った本装置は、相乗効果を発揮することができる。
【００１２】
上記本装置の説明では、オゾンによる殺菌、紫外線照射による殺菌、フィルターによる微細浮遊物と臭気の除去、光触媒効果による脱臭効果を組み合わせたものとなっている。然し、光触媒効果による消臭効果とオゾン殺菌、光触媒効果による消臭効果と紫外線による殺菌、等の単体同士の組み合わせでも安価な装置として供給することが出来る。
【００１３】
また、装置全体の外側に光触媒効果による消臭塗料を塗布し、この外壁と空気の流れを接触させることによって消臭効果を上げているため、フアンが停止した場合にも、必要な光度の光が照射されていれば、空気の上昇流はなくとも、周囲の空気を消臭する効果が生ずる。
【図面の簡単な説明】
【図１】装置の平面図
【図２】装置の側面図
【図３】装置の断面図
【符号の説明】
（１）フアン室
（２）空気取り入れ口
（３）オゾン殺菌室
（４）紫外線照射室
（５）消臭室
（６）ベース部
（７）ファン用モーター
（８）ファン
（９）フィルター
（１０）オゾン発生装置
（１１）フィルター
（１２）紫外線発生器
（１３）ランプ
（１４）光触媒消臭塗料層
（１５）空気の流れ線
（１６）空気排出スリット
（１７）ベース部外壁
【図１】
2004313706.tif 000003
【図２】
2004313706.tif 000004
【図３】
2004313706.tif 000005
(57)【要約】【課題】どこへでも気軽に持ち運ぶことができて、タンスや車の中に置いても安全な香炉を作ること。【解決手段】横に細長い容器の内部に線香を横に固定して燃焼させる。【選択図】図１
2004313721.tif 000002
【特許請求の範囲】
【請求項１】
上ぶた（１）と下部容器（２）からなる横に細長い容器内部に、線香（３）を横に固定して燃焼させる香炉。
【請求項２】
溝をつけた上部固定部（５）と下部固定部（７）とで、線香を挟んで固定する請求項１記載の香炉。
【請求項３】
上ぶたを開けて線香を置く時、後部ささえ（６）に線香を置き、前部ささえ（４）の窪みに線香を立てかけて、線香を斜めにすることによって点火しやすいようにした請求項２記載の香炉。
【発明の詳細な説明】
【０００１】
【発明の属する技術分野】
本発明は、どこへでも気軽に持ち運ぶことができて、タンスや車の中など、さまざまな場所に用いても安全な香炉に関するものである。
【０００２】
【従来の技術】
従来の香炉は、容器に入れた砂や灰に、線香を縦に立てるものであった。また、不燃性のものに小さな穴を開けた、お香立てというものがあった。
【０００３】
【発明が解決しようとする課題】
従来の香炉やお香立てにおいては、第一に、砂や灰の中や、小さな穴の中に線香を立てるので、線香が倒れやすく危険である。第二に、移動中の車内など、動きや振動がある場所では使用することができない。第三に、香炉の形状や線香の立て方が古風なイメージを感じさせるので、現代の若者たちは敬遠してしまう。
【０００４】
【課題を解決するための手段】
上記の問題点を解決するために、本発明では、横に細長い容器の内部で線香を固定し、線香を横にして燃焼させることにした。そうすれば、線香が倒れる心配がないので安全である。また、部屋の中ばかりでなく、タンスの中に入れたり、車内や仕事場へ気軽に持ち運んで楽しむことができる。さらにスリムで現代的な形状なので若者の利用も見込むことができる。
【０００５】
【発明の実施の形態】
本発明の香炉は、上ぶた付きの、横に細長い容器の内部で線香を横向きに固定して燃焼させることにより、持ち運びに便利で、部屋ばかりでなくタンスや車の中など、さまざまな場所に置いても安全なようにしたものである。
【０００６】
容器全体は筆箱のような形状で、下部容器（２）と、蝶つがい（１１）によってつながれた上ぶた（１）からなっている。下部容器は、横になっても灰がこぼれにくいように縁を内側に折りまげてある。また上ぶたには全体に無数の空気穴が開けられている。また図３に示されたように、上ぶたを正面から見た断面は楕円状に盛り上がった曲線になっている。こうすれば線香の燃焼によって熱せられた空気が、上ぶた上部の空気穴から排出される同時に、側面から新しい空気が供給されやすい。
【０００７】
線香を固定する部分は、上部固定部（５）と下部固定部（７）の、二つの固定部からなっている。上部固定部は板状の不燃物で、両端を上ぶたに取りつけられており、下部固定部は下部容器の底に取りつけられたばね（８）の先端に作られている。ともに中央に２本のＶ字形の縦溝があり、この溝に線香（３）を挟み込んで固定する。溝の深さは、市販の最も細い線香がちょうどぴったり挟み込まれて固定される程度がいい。ばねの力によって、それ以上に太い線香も自由に挟み込むことができる。また、図５に示したように、下部固定部は、縦溝とともに下に折りまげられている。このようにすれば、上ぶたを閉めて線香を挟み込むとき、線香が横ぶれせず、スムーズに線香を容器に平行に導いて固定することができる。
【０００８】
また、上部固定部には後部ささえ（６）が付属されており、上ぶたには前部ささえ（４）が取りつけられている。これは、図４に示したように、上ぶたを開けて線香を置くとき、線香が点火しやすい斜めの位置になるように取りつけたものである。後部ささえには線香を置く役目と、ふたを開け閉めしたとき線香の燃え残りを下部容器内に導く役目がある。前部ささえには、両固定部につけられた溝と一致するように、線香を置く窪みがあり、下部容器の上で斜めに線香をささえる。また前部ささえは、上ぶたをおろし、線香が上部、下部固定部に固定されると、線香から離れて線香の燃焼を妨げないようになっている。
【０００９】
上ぶたと下部容器をつなぐ蝶つがいには、上ぶたどめ（１２）と名づけた突起が作られている。これは、上ぶたを開けたとき、容器に垂直よりやや左側に傾いて上ぶたを止めるようになっている。この位置であれば、線香の燃え残りを下部容器の外へ落とすことがなく、線香を置いている最中に再び閉まることがない。
【００１０】
また、上ぶたの前部先端には止め金（１０）が取りつけられている。この止め金を下部容器の前部先端に取りつけた突起にひっかけて上ぶたを閉める。上ぶたにはばねの力により上向きの力がかかっているので、止め金をかけることにより、上ぶたがきっちりと下部容器に固定される。
【００１１】
また下部容器の底面に、コーン形お香取付け針（９）を取りつけた。底面にお香が密着して底面が熱くなりすぎないように、針の太さを２段にして、下部を太くしてある。これにお香を途中までつき刺して固定すれば、振動にも外れず、お香も燃え残りが出にくく、最後まで燃焼するので経済的である。
【００１２】
【発明の効果】
本発明は、以上説明したような形態で実施され、以下に記載されるような効果がある。
【００１３】
第一に、線香が倒れる心配がなく、ふた付きなので安全である。第二に、タンスや車の中、仕事場など、さまざまな場所へ気軽に持ち運んで利用できる。第三に、スリムで現代的な形態なので、若者の利用も期待できる。
【図面の簡単な説明】
【図１】本発明の実施例を示す左側面内部見取図である。
【図２】本発明の実施例を示す平面内部見取図である。
【図３】本発明の実施例を示す正面内部見取図である。
【図４】本発明の実施例を示す、上ぶたを開けた左側面内部見取図である。
【図５】下部固定部の実施例を示す斜視図である。
【符号の説明】
１、上ぶた
２、下部容器
３、線香
４、前部ささえ
５、上部固定部
６、後部ささえ
７、下部固定部
８、ばね
９、コーン形お香取付け針
１０、止め金
１１、蝶つがい
１２、上ぶたどめ
【図１】
2004313721.tif 000003
【図２】
2004313721.tif 000004
【図３】
2004313721.tif 000005
【図４】
2004313721.tif 000006
【図５】
2004313721.tif 000007
(57)【要約】【課題】使用者が通常の入浴と別に、着衣のままで手軽に足湯がおこなえる浴槽を提供するものである。【解決手段】浴槽内を上段、中段、下段の３層構造で構成し、下段部に足湯装置を設けたことを特徴とした浴槽である。下段部の足湯装置には、給湯口と足湯専用排水口を含めた２つの排水口を設けて、従来の入浴装置に独立した機能を持たせた。同時に、中段部を設けることで使用者の体の大きさや、給湯時に誤って足湯装置からいきなり上段部への水の流入を防止できるようにした。【選択図】図１
2004313724.tif 000002
【特許請求の範囲】
【請求項１】
浴槽内を上段、中段、下段の三層構造で構成し、上段を腰掛け用、下段を足湯専用装置とした浴槽で、中段は下段の足湯装置から上段の腰掛け部への水の流入防止および足置き用である。
【請求項２】
請求項１の足湯装置に、給湯口及び通常の排水口と別に足湯専用排水口を足湯装置の上部に取り付けることで、足湯のみで使用する場合に使用者が着衣のままで使用できることを特徴とした浴槽である。
【発明の詳細な説明】
【０００１】本発明は、浴槽内を上段、中段、下段の三層構造で構成し、浴槽下段部に足湯装置を設けたことを特徴とした浴槽である。
【０００２】下段部の足湯装置に給湯口および２つの排水口を設けることで、独立した機能を持たせたことを特徴とした浴槽である。
【発明の属する技術分野】
【０００３】本発明は、足湯装置付浴槽に関するものである。
【従来の技術】
【０００４】従来、足おこなう際には専用の足湯装置を使用するか、別にバケツや洗面器等を利用し、そのバケツや洗面器等に湯を溜めて足湯をおこなうかのいずれかの方法で主に利用されてきた。
【発明が解決しようとする課題】
【０００５】しかしながら専用の足湯装置は、別個に足湯装置を購入する必要があり、その利用も足湯のみに限定されがちである。またバケツや洗面器等の利用では、給湯時の温度管理や水量調節等手間の掛かる作業があり、使用場所においても給排水処理の関係上、浴室など水回り設備の設置場所に限定されてきた。
【０００６】本発明は、従来の足湯装置およびバケツや洗面器等の利用での足湯の問題点を鑑みて考案したもので、その目的は上記の問題を解決するところにある。すなわち、浴槽に一体的に足湯装置を取り付けることで、浴槽内で手軽に着衣のまま足湯がおこなえることにある。
【課題を解決するための手段】
【０００７】上記目的を達成するために、請求項１記載の本発明足湯装置付浴槽は、浴槽が上段、中段、下段の三層構造で構成され、下段部の足湯装置には、お湯を張るための給湯口と足湯専用排水口を含めた２つの排水口を設けて、従来の入浴装置に独立した機能を持たせた。
【０００８】また浴槽上部の壁面部へ取り付けた手すりに、回転式のＨ型手すりを取り付けることで、入浴時には、浴槽への入出時に手すりをつかむことで安全な姿勢の保持を図るとともに、誤って浴槽下段部に直接落ち込まないように仕切の役目を持たせた。同時に浴槽の洗浄時や蓋を取り付ける際には、Ｈ型回転式手すりを手すり上部に設置したＨ型回転式手すり固定枠台にはめ込み固定することで、洗浄又は蓋の取り付けの邪魔にならないような構造を持つ。しかしながら当該手すりについては、浴槽への入出時の安全な姿勢保持、浴槽下段部への仕切、回転又は移動式等の機能を満たしていれば良い。
【発明の実施の形態】
以下、本発明の実施形態を添付する図面を参照して説明する。
【実施例】
【０００９】図１は本発明足湯装置付浴槽を真横から見た断面図、図２は本発明を上から見た平面図、図３は図１および図２を斜め上方から見た斜視図、図４および図５は、使用例を断面図、平面図で表した。
【００１０】図１、図２、図３で示すように足湯装置付浴槽は、上段、中段、下段の３層構造で構成し、下段部の足湯装置に、給湯口１を設け、さらに足湯用排水口２、通常の排水口３を配置している。足湯のみで使用する際には、給湯口より給湯し、足湯用排水口２および通常の排水口３を開閉栓することで湯量の調節がおこなえるようになっている。また足湯のみで使用する場合には、通常着衣のままで使用するが、使用者の体の大きさや、給湯時に誤って足湯装置からいきなり上段部への水の流入を防止するために中段部を設置した。
【００１１】また図１で示すように、手すり４、Ｈ型回転式手すり５、Ｈ型回転式手すり固定枠台６を設置し、浴槽への入出時および入浴中は、Ｈ型回転式手すり５を浴槽の縁に架けて固定しておくことで、Ｈ型回転式手すりを両手でつかみ安全な姿勢を保持した状態で浴槽への入出がおこなえ、さらに入浴中でもＨ型回転式手すりがあることで入浴者に安心感を持たせることができる。
【００１２】さらに図４、図５の使用例に示したように、通常の入浴時の際、腰掛けによる楽な姿勢での入浴や中段部に足を伸ばした状態での入浴姿勢、また中段部の縁に足を置くことで、足裏へのマッサージ効果も得られる。
【発明の効果】
【００１３】請求項１記載の本発明足湯装置付浴槽は、浴槽を３層構造で構成し、下段部に足湯装置を取り付けることで着衣のままで足湯が容易におこなえることを特徴としている。
【００１４】請求項２記載の足湯専用排水口は、足湯専用で使用する場合の湯量の調節を、同排水口の開閉栓によって使用者が座したままの状態で、手元で簡単におこなえるようにしたものである。
【図面の簡単な説明】
【図１】本発明足湯装置付浴槽を真横から見た断面図である。
【図２】図１の本発明を真上から見た平面図である。
【図３】図１の本発明の斜視図である。
【図４】図１の本発明の使用例（断面図）である。
【図５】図１の本発明の使用例（平面図）である。
【符号の説明】
１    給湯口
２    足湯専用排水口
３    排水口
４    手すり
５    Ｈ型回転式手すり
６    Ｈ型回転式手すり固定枠台
【図１】
2004313724.tif 000003
【図２】
2004313724.tif 000004
【図３】
2004313724.tif 000005
【図４】
2004313724.tif 000006
【図５】
2004313724.tif 000007
(57)【要約】      （修正有）【課題】すべての歯、及び歯肉を同時に磨くことが可能な歯ブラシの提供。【解決手段】個々の歯型にフィットする型を作成し、この型が歯及び歯肉に接する部分に、適切な凹凸及び植毛加工を施す。この型に適切な振動を与えることにより、すべての歯及び歯肉に対して最適な清掃を行う。【選択図】図１
2004313726.tif 000002
【特許請求の範囲】
【請求項１】
口腔内のすべての歯、及び歯肉にフィットする型を作成し、この型を振動させることで口腔を清浄化する装置。
【発明の詳細な説明】
本装置は、個々の歯型にフィットする型を作成し、この型が歯及び歯肉に接する部分に、適切な凹凸及び植毛加工を施します。
この型に適切な振動を与えることにより、すべての歯及び歯肉に対して最適な清掃を行うことができます。
【図面の簡単な説明】
【図１】本装置の歯に接する部分の断面図
【図１】
2004313726.tif 000003
(57)【要約】【課題】従来の粘着式清掃機では粘着面が外側を向いており収納時にカバーなどの部品が必要であったものを通常内側に粘着面のあるクラフトテープ（ガムテープ）を利用することにより構造及びランニングコストにおいて安価な粘着式清掃機の構造を提供する。【解決手段】ブラケット１により作業時には粘着面を外側に向け清掃の機能を満足させる。作業終了時は粘着面を切り離し通常のクラフトテープ同様に塵などが付着せず収納できるものである。【選択図】図１
2004313723.tif 000002
【特許請求の範囲】
【請求項１】
粘着テープを利用した清掃機の安価な構造
【発明の詳細な説明】
【発明の属する技術分野】この発明は、粘着テープを利用した清掃機の構造に関する。
【従来の技術】従来の粘着式清掃機では粘着面が外側を向いており収納時にカバーなどの部品が必要であった。
【発明が解決しようとする課題】
従来の方法では、粘着面が外側を向いており収納時にカバーなどの部品が必要であった。そこで、この発明は粘着面が内側を向くことにより収納時の部品を無くす粘着式清掃機を提供することを課題とする。
【課題を解決するための手段】
以上の課題を解決するために、請求項１の発明は通常内側に粘着面のあるクラフトテープ（ガムテープ）を利用し清掃作業終了時にテープを切り離すことにより粘着面が内側を向くことになる。かつクラフトテープを使用することによりテープ自体も独自の物を用意する必要が無くなりランニングコストを抑えることになる。
【発明の実施の形態】
この発明の実施形態を、図１に示す。
ブラケット１は粘着テープを固定するものであり、作業時に粘着面を外側に向けるものである。
ばね２は粘着テープを保持するものである。
「実施形態の効果」
この実施形態によれば、通常内側に粘着面のあるクラフトテープ（ガムテープ）を利用し、清掃作業終了時にテープを切り離すことにより粘着面が内側を向くことになるため収納時にケースを用意する必要が無くなる。またクラフトテープを使用することによりテープ自体も独自の物を用意する必要が無くなるためランニングコストが抑えられる。
【発明の効果】
以上説明したように、この発明によれば、構造及びランニングコストにおいて安価な粘着式清掃機の構造である。
【図面の簡単な説明】
【図１】この発明の実施形態を示す使用例である。
【図２】図１の正面図である。
【符号の説明】
１  ブラケット
２  ばね
３  粘着面
【図１】
2004313723.tif 000003
【図２】
2004313723.tif 000004
(57)【要約】【課題】椅子に座り会議や公共の場所での居眠りなどしても、両腿をきれいに合せられ、見た目に美しく着席が出来る器具。【解決手段】敷板３と側板１を蝶番２で固定し、また敷板９と側板１１を蝶番１０で固定する。その間にスライド板４を用いる。使用する際、側板１と１１を９０度に開く。その時ストッパー１３の作用により９０度以上鈍角になることはない。フック８を押すことによりフックのカギ６が解除され、スライド板４が自由に動く。自分に合った長さに調節し、係止溝５にフックのカギ６をひっかけ、固定させる。【選択図】    図１
2004313725.tif 000002
【特許請求の範囲】
【請求項１】
両腿を合わせた時の間隔に合わせた長さを有する敷板を設け、その敷板をスライド板によって左右に伸縮自在に形成し、その敷板の左右に両腿の高さに合わせた側板を蝶番で開動自在に形成し、ストッパーを介して側板を開動した際に所定位置に側板が立設するようにしたことを特徴とした両腿合わせ器具
【発明の詳細な説明】
【０００１】
【発明の属する技術分野】
本発明は、両腿をきれいに合わせ見た目に美しい、着席の構造に関する器具に関する
【０００２】
【従来の技術】
一般人の乗車する乗り物に乗ったときや、会議や壇上で椅子に着席されて講話を聞くときなど両腿が離れひざが開いていると、とてもみにくく年齢を感じさせ品位が感じられない。反対側にいる人が目のやり場に困り居眠りなどをしたときなどはもはや論外です。常に両腿をつけているという事は大変疲れ日本人の体型では足を組むという人は一握りの人口です。特に男性は好奇心で見ているものです。
【０００３】
【発明が解決しようとする課題】
本発明は従来のかかる実情に鑑みてなされたもので、両腿ひざを離さず固定するための器具を提供するもので、敷板と鋭角の側面の固定板を設け長時間美しさが保証され常に足に意識をむけていないで済むものである。
【０００４】
【課題を解決するための手段】
【図面の簡単な説明】
【図１】本発明の器具の斜視図。
【図２】ストッパーの側面図で、（Ａ）は閉じている状態、（Ｂ）は開いている状態を示す。
【図３】着席で使用状態の斜視図。
【符号の説明】
１    側板
２    蝶番
３    敷板
４    スライド板
５    係止溝
６    フックのカギ
７    ピン
８    フック
９    敷板
１０    蝶番
１１    側板
１２    ストッパー止板
１３    ストッパー
【図１】
2004313725.tif 000003
【図２】
2004313725.tif 000004
【図３】
2004313725.tif 000005
(57)【要約】      （修正有）【課題】ピアスの付加価値を高め、昼夜を問わず光効果を楽しむことができるようにすること。【解決手段】ピアスを効果的に光らせるため、宝飾部分を無垢クリスタルガラスでバラ花をはじめ、スポーツ用品、動物キャラクター等を象り、各色に着色し、光拡散のためサンドグラスト加工し、底部に発光素子を取り付け固定させ、リチウム電池によって発光素子を点灯させると共に、電池交換も蟇口式で容易にし、連続転倒時間も１２０時間とした。【効果】ピアスのクリスタルガラス底部に発光素子を取り付けリチウム電池によって点灯させたところ、見事に輝き光効果を高めた。尚連続点灯時間は１２０時間で、電池交換も容易にできた。【選択図】図１
2004313722.tif 000002
【特許請求の範囲】
【請求項１】
ピアスの宝石部分を無垢クリスタルガラスで飾り、その底部に発光素子を取り付け、リチウム電池によって点灯させ光効果を鮮やかにしたもの。
【発明の詳細な説明】
この発明は〔図１〕−１の花を無垢クリスタルガラスを各色別に着色し、光拡散を良くするためサンドグラストし、〔図１〕−２の台と〔図１〕−３発光素子を固定した上にその花を接着固定し、〔図２〕の蟇口式電池パックの中に〔図２〕−３リチウム電池を挿入し、耳に取り付けた時に〔図１〕−４ジャック式スイッチと〔図２〕蟇口式電池パックの〔図２〕−１ジャック式スイッチに合わせることによって見事鮮やかに点灯し、連続１２０時間点灯します。電池交換も蟇口式ですから簡単に出来ます。
【図面の簡単な説明】
【図１】ピアス上部の正面図
【図２】ピアス下部の蟇口式電池パックの正面図
【図３】蟇口式電池パックを開いた図
【図１】
2004313722.tif 000003
【図２】
2004313722.tif 000004
【図３】
2004313722.tif 000005